(57)【要約】【課題】  二重サッシ等の重量の大きな引戸であっても、開口枠に対して簡便且つ安全に着脱し得る引戸装置を提供することを目的とする。【解決手段】  開口枠２の上レール３に上框４に形成された凹溝５が係合するとともに、前記開口枠２の下レール６に下框７が載置され、開口部８を開閉し得るように設けられている引戸９を備える引戸装置において、該凹溝５を構成する一対の壁部１０ａ，１０ｂの内、室外側に位置する外壁部１０ａを、定位置と、該定位置よりも下方に位置する下方位置とを往復移動可能に構成し、前記外壁部１０ａを下方位置に変位させることで、引戸９を上レール３に接触させることなく下レール６と下框７との当接部１１を支点として室内側に回転自在となされていることを解決手段とする。【選択図】  図１
2005127003.tif 000002
【特許請求の範囲】
【請求項１】
開口枠（２）の上レール（３）に上框（４）に形成された凹溝（５）が係合するとともに、前記開口枠（２）の下レール（６）に下框（７）が載置され、開口部（８）を開閉し得るように設けられている引戸（９）を備える引戸装置において、該凹溝（５）を構成する一対の壁部（１０ａ，１０ｂ）の内、一方の壁部（１０ａ）を、定位置と、該定位置よりも下方に位置する下方位置とを往復移動可能に構成し、該一方の壁部（１０ａ）を下方位置に変位させることで、引戸（９）が下レール（６）と下框（７）との当接部（１１）を支点として他方の壁部（１０ｂ）側に回転自在となされていることを特徴とする引戸装置。
【請求項２】
前記一方の壁部（１０ａ）が、引戸（９）に形成された被ガイド部（１６）に沿って上下に摺動自在に案内されている請求項１に記載の引戸装置。
【請求項３】
前記一方の壁部（１０ａ）を定位置と下方位置とを往復移動させる操作機構（１９）を更に備えている請求項１または２に記載の引戸装置。
【請求項４】
前記操作機構（１９）は、ケーシング（２０）と、該ケーシング（２０）に上下に変位し得るように支持された操作把持部（２３）と、その変位に伴って上下に変位し得るように、該操作把持部（２３）に第一部位（２４）にて連結されるとともに第二部位（２５）にて前記一方の壁部（１０ａ）と連結されているロッド（２２）とを備え、該一方の壁部（１０ａ）は、前記操作把持部（２３）の上下の変位に応じて定位置と下方位置とを往復移動可能に構成されている請求項３に記載の引戸装置。
【請求項５】
前記操作機構（１９）が、引戸（９）の左右側部に一対設けられており、左右一対のロッド（２２，２２）が、それぞれ第二部位（２５）にて前記一方の壁部（１０ａ）の左右端部に枢着されている請求項４に記載の引戸装置。
【請求項６】
前記操作機構（１９）は、ケーシング（２０）がその操作面（２７）と引戸（９）の他方の壁部側の表面（２８ａ）とが略面一となるように引戸（９）の内部に収納されるとともに、該ケーシング（２０）内に操作把持部（２３）が収納され得るように構成されている請求項４または５に記載の引戸装置。
【発明の詳細な説明】
【技術分野】
【０００１】
本発明は、引戸装置に関し、詳しくは、開口枠への着脱を容易とした引戸装置に関する。
【背景技術】
【０００２】
従来、建屋の窓や出入り口等の開口部を開閉するアルミサッシ等の引戸の着脱に際しては、引戸の上框を横方向から開口枠の上枠のレール（以下、上レールという。）に係合させた状態で、引戸全体を僅かに持ち上げて下框の戸車を開口枠の下枠のレール（以下、下レールという。）から係脱する、いわゆる「けんどん式」が一般的に行われている。
【発明の開示】
【発明が解決しようとする課題】
【０００３】
しかしながら、昨今、例えば、引戸自体の防音効果や断熱効果を高める観点から、サッシに嵌め込まれるガラスを２枚にして組み立てたいわゆる二重サッシが使用される機会が増えており、サッシにはアルミ材等が使用され軽量化が図られているとはいえ、引戸自体の重量は益々増加する傾向にあり、前述した「けんどん式」では、引戸全体を持ち上げる必要があることから、引戸の着脱は困難となりつつある。
【０００４】
一方、従来より、二つの引戸をいわゆる「引き違い引戸」として、開口枠の下レールを室外側を低くして平行段違いに二列設けている場合が多いが、かかる場合に室内側の引戸を着脱するために、構造上邪魔になる室外側の引戸を一旦取り外す操作が必要となることがあるため、特に上層階に設けられた窓の場合に引戸の着脱操作が煩瑣となり、また、テラス等がない場合には、引戸を階下に落下させる危険性も増大する。
【０００５】
本発明は、上述した問題に鑑みてなされたものであり、二重サッシ等の重量の大きな引戸であっても、開口枠に対して簡便且つ安全に着脱し得る引戸装置を提供することを目的とする。
【課題を解決するための手段】
【０００６】
本発明に係る引戸装置は、開口枠の上レールに上框に形成された凹溝が係合するとともに、前記開口枠の下レールに下框が載置され、開口部を開閉し得るように設けられている引戸を備える引戸装置において、該凹溝を構成する一対の壁部の内、一方の壁部を、定位置と、該定位置よりも下方に位置する下方位置とを往復移動可能に構成し、該一方の壁部を下方位置に変位させることで、引戸が下レールと下框との当接部を支点として他方の壁部側に回転自在となされていることを特徴とする。
【０００７】
該引戸装置によれば、引戸の一方の壁部を下方位置に変位させた状態で、引戸を下レールと下框との当接部を支点として一方の壁部側に回転させると、凹溝の他方の壁部が開口枠の上レールに接触する一方、引戸を下レールと下框との当接部を支点として他方の壁部側に回転させても、凹溝の一方の壁部が開口枠の上レールに接触しないので、引戸を室外側に倒れ込ませることなく室内側に倒れ込ませ得る。
【０００８】
前記一方の壁部が、引戸に形成された被ガイド部に沿って上下に摺動自在に案内されていることが好ましい。
【０００９】
上記好ましい構成によれば、被ガイド部によって一方の壁部がより安定に移動し得るようになる。
【００１０】
前記一方の壁部を定位置と下方位置とを往復移動させる操作機構を更に備えていることが好ましい。
【００１１】
上記好ましい構成によれば、操作装置によって一方の壁部をより容易に移動させ得るようになる。
【００１２】
前記操作機構は、ケーシングと、該ケーシングに上下に変位し得るように支持された操作把持部と、その変位に伴って上下に変位し得るように、該操作把持部に第一部位にて連結されるとともに第二部位にて前記一方の壁部と連結されているロッドとを備え、該一方の壁部は、前記操作把持部の上下の変位に応じて定位置と下方位置とを往復移動可能に構成されていることが好ましい。
【００１３】
上記好ましい構成によれば、シンプルな構造で操作機構を実現することができる。
【００１４】
前記操作機構が、引戸の左右側部に一対設けられており、左右一対のロッドが、それぞれ第二部位にて前記一方の壁部の左右端部に枢着されていることが好ましい。
【００１５】
上記好ましい構成によれば、一方の壁部は、左右一対のロッドによって安定に支持され、しかも、該一対のロッドは一方の壁部の左右端部にそれぞれ枢着しているため、該一対のロッド間で上下の変位量に差異があっても、一方の壁部は、ロッドが拗れることなくスムーズに変位し得るようになる。
【００１６】
前記操作機構は、ケーシングがその操作面と引戸の他方の壁部側の表面とが略面一となるように引戸の内部に収納されるとともに、該ケーシング内に操作把持部が収納され得るように構成されていることが好ましい。
【００１７】
上記好ましい構成によれば、操作機構の操作面が引戸の他方の壁部側に位置して操作機構の操作がより容易となり、しかも、ケーシングとともに操作把持部をも引戸内に収納されるため、操作機構が操作上邪魔になることもない。
【発明の効果】
【００１８】
以上のように、本発明に係る引戸装置によれば、引戸を一方の壁部側に倒れ込ませることなく他方の壁部側に倒れ込ませることが可能となり、二重サッシ等の重量の大きな引戸であっても、開口枠に対して簡便且つ安全に着脱することができる。
【発明を実施するための最良の形態】
【００１９】
以下、本発明に係る引戸装置の一実施形態について図面を参照しながら説明する。図１は、本実施形態の引戸装置の縦断面図である。該引戸装置１は、上框４と下框７とを有する引戸９を備えており、開口部８の開口枠２の上レール３に上框４に形成された凹溝５が係合するとともに、前記開口枠２の下レール６に下框７が載置され、開口部８を開閉し得るように設けられている。尚、該開口部８は、建屋の内外を仕切る壁面に設けられている。
【００２０】
図１に示す引戸装置１においては、引戸装置１は、いわゆる「引違いサッシ」に適用されている。即ち、引戸（サッシ）９が二枚設けられ、また、開口枠２の下縁には、室内（屋内）側の下レール６ａを高くするとともに、室外（屋外）側の下レール６ｂを低くして平行段違いに二列の下レール６ａ，６ｂが設けられ、開口枠２の上縁には、該二列の下レール６ａ，６ｂに対応して、同じ高さ位置に平行に二列の上レール３ａ，３ｂがそれぞれ設けられている。そして、室内側の引戸９は、上レール３ａに上框４の凹溝５を係合させ、下框７に設けられた戸車１３を開口枠２の下レール６ａに係合載置するとともに、室外側の引戸９は、上レール３ｂに上框４の凹溝５を係合させ、下框７に設けられた戸車１３を開口枠２の下レール６ｂに係合載置することにより、それぞれ横方向に滑らせて開口部８を開閉し得るように開口枠２に建て付けられている（ここで、室内外の引戸９の戸車１３（下框７）と、下レール６ａ（６ｂ）とが接触している部位を当接部１１と呼ぶ）。尚、図１に示す各引戸９は、アルミサッシであって、上框４と下框７とはそれぞれアルミ材で形成されている。また、各引戸９は、中框１８ａと、図１においては図示しない左右の縦框とを備えており、該中框１８ａおよび左右の縦框と、前記上框４および下框７によってそれぞれ形成された各枠組にガラス１８が嵌め込まれている。
【００２１】
図２（ａ）は、室内側の引戸９の上框４の凹溝５が開口枠２の上レール３ａに係合している状態を拡大して示す拡大断面図であり、図２（ｂ）は、図２（ａ）のＡ−Ａ部における断面図である。図１および図２（ａ）に示すように、前記凹溝５は、一対の壁部１０，１０、詳しくは、一対の断面Ｌ字形（断面逆Ｌ字形）の壁部１０，１０によって挟まれて構成されており、該一対の壁部１０，１０の内、室外側に位置する外壁部（一方の壁部）１０ａは、図２（ａ）中、仮想線〔一点鎖線〕で示す定位置と、該定位置よりも下方に位置する下方位置（図２（ａ）中、実線で示す。）とを往復移動可能に構成されており、一方、室内側に位置する内壁部（他方の壁部）１０ｂは、定位置にて固定されている。この「定位置」とは、引戸９を開口部８に対して開閉する際の外壁部１０ａおよび内壁部１０ｂの位置を意味しており、外壁部１０ａまたは内壁部１０ｂが定位置に位置しているときには、外壁部１０ａまたは内壁部１０ｂの当接部１１を支点とした回転移動が上レール３ａに妨害され、引戸９は、定位置にある外壁部１０ａまたは内壁部１０ｂの側（室外側または室内側）には、倒れ込まないようになっている。
【００２２】
図２（ａ）に示すように、外壁部１０ａおよび内壁部１０ｂの端面には、長尺状のゴム材１４が付設されており、外壁部１０ａおよび内壁部１０ｂは、それぞれ定位置において、封止性を高めるべく前記ゴム材１４を介在させて上レール３ｂを挟持している。このように外壁部１０ａおよび内壁部１０ｂ（凹溝５）が定位置に位置している場合は、引戸９を押し下げても、下框７本体の撓みにより戸車１３が上方に変位する等して凹溝５が上レール３ａから離脱することにより引戸９が開口枠２から不用意に外れることがないように、凹溝５は十分な高さに位置している。
【００２３】
また、図２（ａ）および図２（ｂ）に示すように、外壁部１０ａには、上下方向に延びる断面Ｔ字状の係合レール（ガイド部）１５が設けられており、該係合レール１５を縦框１７に上下方向に延びて形成された係合スリット（被ガイド部）１６に係合させて外壁部１０ａが係合スリット１６に沿って上下に摺動自在に案内されている。これにより、係合スリット１６によって外壁部１０ａがより安定に移動し得るようになる。尚、図２（ａ）および図２（ｂ）によっては、室内側の引戸９について説明したが、室外側の引戸９も同様な構成による作用を有している。
【００２４】
本実施の形態の引戸装置１は、外壁部１０ａを定位置と下方位置とを往復移動させる操作機構１９を更に備えている。図３は、該操作機構１９の全体図であり、図４は、該操作機構１９の操作レバー２３が下方位置にある状態を示す側面図であり、図５は、該操作機構１９の操作レバー２３の回転状態を示す側面図である。図３に示すように、該操作機構１９は、ケーシング２０と、該ケーシング２０に上下方向に回転（上下に変位）し得るように支持された操作レバー（操作把持部）２３と、該操作レバー２３の上下方向への回転に応じて上下に変位し得るように、該操作レバー２３に第一駆動部材３１（図４参照）および第二駆動部材３４を介して第一部位２４にて連結されるとともに、第二部位２５にてピン２６により外壁部１０ａに枢着されている（外壁部１０ａと連結されている）ロッド２２とを備えている。
【００２５】
詳しくは、図４または図５に示すように、該操作機構１９は、上下に長い矩形状の台座プレート２７と、該台座プレート２７に背面を沿わせて固定された断面コ字形の枠部材２８とを備えたケーシング２０と、該枠部材２８に第一部位２３ａにてピン２９により枢着された操作レバー２３と、該操作レバー２３の第二部位２３ｂに第一部位３１ａにてピン３０により枢着されるとともに、第二部位３１ｂを挿通するピン３３が、枠部材２８に上下に延びて形成された長穴３２に遊挿された一対の板片からなる第一駆動部材３１と、前記枠部材２８に上下に可動に挿通されるとともに、前記第一駆動部材３１の第二部位３１ｂに第一部位３４ａにてピン３３により枢着された一対の板片からなる第二駆動部材３４と、該第二駆動部材３４に内嵌された内嵌部材３６（第二部位３４ｂ）に第一部位２４にてネジ部材２１によって固着され、且つ上下に延びるロッド２２とを備え、更に前記第一駆動部材３１の端部突起３１ｃと、前記第二駆動部材３４の内嵌部材３６の端面突起３６ａとに、それぞれ両端部が外嵌着され、第一駆動部材３１および第二駆動部材３４を弾性的に連結しているバネ部材３５を備えている。
【００２６】
図３においては、操作機構１９は、引戸９の左右の縦框１７，１７（左右側部）に一対設けられ、左右一対のロッド２２，２２が、それぞれ第二部位２５において外壁部１０ａの左右端部に枢着されている。また、該一対のロッド２２，２２は外壁部１０ａの左右端部にそれぞれ枢着している。
【００２７】
また、図３乃至図５に示すように、各操作機構１９は、ケーシング２０がその操作面２７と縦框１７の室内側の表面２８ａとが略面一となるように縦框１７（引戸９）の内部に収納されるとともに、該ケーシング２０内に操作レバー２３が収納され得るように構成されており、しかも、ケーシング２０とともに操作レバー２３をも引戸９内に収納されるように構成されている。
【００２８】
尚、図２（ａ）および図２（ｂ）を参照して、ロッド２２と外壁部１０ａの連結部位（枢着部位）についてより詳細に説明すると、ロッド２２の上端部にピン２６（先端部にネジ溝が設けられている）が挿通し、該ピン２６が係合レール１５部を貫通して外壁部１０ａ本体に螺入することにより、ロッド２２が外壁部１０ａに連結（枢着）されている。
【００２９】
本実施形態の引戸装置１の開口枠８に対する取り外しおよび取り付け（建て付け）操作（着脱操作）について、室内側の引戸９を例にとり、以下説明する。
【００３０】
まず、図１および図２（ａ）に示すように、室内側の引戸９の凹溝５が開口枠２の上レール３ａに係合し、開口枠２の下レール６ａに下框７が載置され、該引戸９を横方向に滑らせて開口部８を開閉し得る状態となっているときには、図中破線で示すように、外壁部１０ａは、定位置に位置している。このとき、図４に示すように、各操作装置１９において、第二駆動部材３４の一部が、ケーシング２０から上方に突出した状態となっており、操作レバー２３は、下方に位置してケーシング２０内に収納されている。詳しくは、操作レバー２３は、操作レバー２３の摘み部２３ｃが台座プレート２７の下方窪み部２７ｂに収められ、操作レバー２３のレバー本体２３ｄの左側面が操作面２７と面一の状態でケーシング２０内に収納されている。また、このとき、バネ部材３５は直立姿勢となっており、第一駆動部材３１および第二駆動部材３４には、上下方向にバネ押圧力のみが加わり、横方向にはバネ部材３５の弾性力は何ら加わらない状態となっている。
【００３１】
この状態から、図３および図４を参照して、左右の操作機構１９，１９の操作レバー２３，２３の摘み部２３ｃ，２３ｃをそれぞれ左右の手の指先で摘んで（把持して）、各操作レバー２３をピン２９を支点として上方に回転させる（上方に変位させる）と、図５に示すように、ピン３０がピン２９の周囲を右方向に回転し、それに伴って第一部材３１がその第二部位３１ｂに挿通されたピン３３の端部を長穴３２に沿わせつつ下方に移動する。ピン３０の回転の際、バネ部材３５は屈曲しており、第一駆動部材３１および第二駆動部材３４には、上下方向のバネ押圧力と、バネ部材３５の屈曲による横方向の弾性力が加わり、該バネ押圧力および弾性力によって操作レバー２３が台座プレート２７側に回転付勢される。そして、ピン３３の下方への移動に伴って第二駆動部材３４が下方に移動してケーシング２０内にその一部を没入させ、これに伴い外壁部１０ａが下方位置に変位する。これにより、操作レバー２３は、図５に仮想線（一点鎖線）で示すように、上方に位置してケーシング２０内に収納される。詳しくは、操作レバー２３は、その摘み部２３ｃが台座プレート２７の上方窪み部２７ｃに収められ、操作レバー２３のレバー本体２３ｄの左側面が操作面２７と面一の状態でケーシング２０内に収納される。
【００３２】
このようにして引戸９の外壁部（一方の壁部）１０ａを下方位置に変位させた状態で、該引戸９の左右の縦框１７，１７を両手で支えながら下レール６ａと下框７との当接部１１を支点として室外（一方の壁部）側に回転させると、凹溝５の内壁部（他方の壁部）１０ｂが開口枠２の上レール３ａに接触する一方、下レール６ａと下框７との当接部１１を支点として室内（他方の壁部）側に回転させても、凹溝５の外壁部１０ａが開口枠２の上レール３ａに接触しないので、図１に仮想線(一点鎖線)で示すように、引戸９を室外側に倒れ込ませることなく室内側に倒れ込ませることができる。その後、この倒れ込んで斜めに傾斜した引戸９の戸車１３を下レール６ａから離脱させ、引戸９を移動させることにより、室内側の引戸９の取り外しが完了する。尚、図１乃至図２（ｂ）に示すように、開口枠２には、該引戸９と開口枠２上縁間の隙間を隠蔽するための垂下部１２が垂設されているが、この垂下部１２の下端部は、引戸９の室内側への回転時に内壁部１０ｂに接触しない程度に十分高い位置に設定されている。
【００３３】
一方、この室内側の引戸９を取り付け（建て付け）るには、おおむね上記と逆の操作を行えばよく、該引戸９の外壁部１０ａを下方位置に変位させた状態で、引戸９の戸車１３を下レール６ａに係合載置し、次いで、引戸９の左右の縦框１７，１７を両手で支えながら下レール６ａと下框７（戸車１３）との当接部１１を支点として室外側に向けて回転させて下レール６ａ上に起立姿勢とする。この際、引戸９は、図１に示すように、外壁部１０ａが上レール３ｂに接触することなく回転する。その後、図３乃至図５を参照して、左右の操作レバー２３，２３の摘み部２３ｃ，２３ｃをそれぞれ左右の手の指先で摘んで（把持して）、各操作レバー２３をピン２９を支点として下方に回転させる（下方に変位させる）と、図５に示すように、ピン３０がピン２９の周囲を左方向に回転し、それに伴って第一部材３１がその第二部位３１ｂに挿通されたピン３３の端部を長穴３２に沿わせつつ上方に移動する。そして、図４に示すように、ピン３３の上方への移動に伴って第二駆動部材３４が上方に移動してその一部がケーシング２０から突出し、これに伴い外壁部１０ａが定位置に変位して、上框４の凹溝５が上レール３ａに係合する。以上のようにして、室内側の引戸９の取り付け（建て付け）が完了する。尚、本実施形態のように引戸装置１を引違いサッシに適用している場合にあっては、室外側の引戸９を一旦開口枠２から取り外すことなく、室内側の引戸９のみを着脱することができ、引戸９の着脱操作が従来技術に比して至極容易となる。
【００３４】
以上においては、室内側の引戸９についてその取り外しおよび取り付け（建て付け）操作を説明したが、室外側の引戸９も同様な操作により取り外しおよび取り付けを行うことができる。
【００３５】
以上説明したように、本実施形態において、引戸９の外壁部１０ａは、操作レバー２３の上下方向への回転に応じて定位置と下方位置とを往復移動可能に構成されており、操作レバー２３を操作して外壁部１０ａを下方位置に変位させることで、引戸９（外壁部１０ａ）を上レール３ａ（３ｂ）に接触させることなく下レール６ａ（６ｂ）と下框７との当接部１１を支点として室内側に回転自在となされており、その一方、引戸９の内壁部１０ｂは、定位置にて固定されているので、引戸９を室外側に倒れ込ませることなく室内側に倒れ込ませることが可能となり、二重サッシ等の重量の大きな引戸９であっても、開口枠２に対して簡便且つ安全に着脱することができる。その結果、特に開口部８が上層階に設けられた窓の場合に引戸９の着脱操作が容易化され、また、テラス等がない場合でも、引戸９を階下に落下させる危険性も皆無となる。
【００３６】
また、本実施形態において、操作機構１９が、引戸９の左右の縦框１７，１７（左右側部）に一対設けられ、左右一対のロッド２２，２２が、それぞれ第二部位２５において外壁部１０ａの左右端部に枢着されているため、外壁部１０ａは、左右一対のロッド２２，２２によって安定に支持され、しかも、該一対のロッド２２，２２は外壁部１０ａの左右端部にそれぞれ枢着しているため、該一対のロッド２２，２２間で上下の変位量に差異があっても、外壁部１０ａは、ロッド２２が縦框１７に接触する等して拗れることなくスムーズに変位し得るようになる。
【００３７】
また、本実施形態において、各操作機構１９が、ケーシング２０がその操作面２７と縦框１７の室内側の表面２８ａとが略面一となるように縦框１７（引戸９）の内部に収納されるとともに、該ケーシング２０内に操作レバー２３が収納され得るように構成されているので、操作面２７が引戸９の室内側に位置して操作機構１９の操作がより容易となり、しかも、ケーシング２０とともに操作レバー２３をも引戸９内に収納されるように構成されているため、操作上邪魔になることもない。
【００３８】
尚、本発明は、上記実施形態に限定されず、本発明の要旨を変更しない範囲で、種々の形態の実施が可能である。
【００３９】
上記した実施形態では、外壁部１０ａに設けられた係合レール（ガイド部）１５が引戸９（縦框１７）に形成された係合溝（被ガイド部）１６に係合することにより、外壁部１０ａが上下に摺動自在に案内されているが、この代わりに、外壁部１０ａに設けられた係合溝（ガイド部）が引戸９（縦框１７）に形成された係合レール（被ガイド部）に係合することにより、外壁部１０ａが上下に摺動自在に案内されていても良く、また、かかるガイド部および被ガイド部は必ずしも設ける必要はない。
【００４０】
また、上記した実施形態では、操作機構１９を、ケーシング２０と、該ケーシング２０に上下方向に回転し得るように支持された操作レバー２３と、その回転に伴って上下に変位し得るように、該操作レバー２３に第一駆動部材３１および第二駆動部材３４を介して第一部位２４にて連結されるとともに第二部位２５にて外壁部１０ａに枢着されている（外壁部１０ａと連結されている）ロッド２２とを備えたものとし、該外壁部１０ａを、操作レバー２３の上下方向への回転に応じて定位置と下方位置とを往復移動可能に構成したが、操作レバー２３の代わりに平板状の操作プレートをケーシング２０に上下にスライド自在に設け、その上下の変位に伴ってロッド２２を上下に変位し得るように構成しても良い。
【００４１】
また、操作機構１９を、引戸９の左右の縦框１７，１７に一対設けたが、片方の縦框１７にのみ設けても良く、また、ロッド２２を外壁部１０ａに枢着したが、ロッド２２は、外壁部１０ａに固着しても良く、要するに、外壁部１０ａおよびロッド２２が拗れることなくスムーズに上下に変位し得るように構成されていれば良い。
【００４２】
また、かかる構成の操作機構１９の代わりに、外壁部１０ａにピニオンを設け、該ピニオンに縦框１７に回転自在に設けたラック（歯車）を噛合させ、該ラックを回転させることにより外壁部１０ａを定位置と下方位置とを往復移動可能に構成した操作機構としても良い。かかる操作機構によれば、外壁部１０ａの上下位置を任意に調節することも可能となる。
【００４３】
また、上記した実施形態では、引戸装置１の凹溝５を構成する一対の壁部１０ａ，１０ｂの内、室外側に位置する外壁部１０ａを、定位置と下方位置とを往復移動可能に構成し、該外壁部１０ａを下方位置に変位させることで、引戸９を下レール６と下框７との当接部１１を支点として室内側に回転自在に構成したが、その代わりに、前記一対の壁部１０ａ，１０ｂの内、室内側に位置する内壁部１０ｂを、定位置と下方位置とを往復移動可能に構成し、該内壁部１０ｂを下方位置に変位させることで、引戸９を下レール６と下框７との当接部１１を支点として室外（屋外）側に回転自在に構成しても良い。該構成によれば、引戸６の内壁部１０ｂを下方位置に変位させた状態で、引戸９を下レール６と下框７との当接部１１を支点として室内側に回転させると、凹溝５の外壁部１０ａが開口枠２の上レール３ａに接触する一方、引戸９を下レール６と下框７との当接部１１を支点として室外（屋外）側に回転させても、凹溝５の内壁部１０ｂが開口枠２の上レール３ａに接触しないので、引戸９を室内側に倒れ込ませることなく室外側に倒れ込ませることができる。
【図面の簡単な説明】
【００４４】
【図１】図１は、本発明の一実施形態に係る引戸装置の縦断面図である。
【図２】図２（ａ）は、同引戸装置の上框の凹溝が開口枠の上レールに係合している状態を拡大して示す拡大断面図であり、図２（ｂ）は、図２（ａ）のＡ−Ａ部における断面図である。
【図３】図３は、同引戸装置の操作機構の全体図である。
【図４】図４は、同引戸装置の操作機構の操作レバーが下方位置にある状態を示す側面である。
【図５】図５は、同引戸装置の操作機構の操作レバーの回転状態を示す側面図である。
【符号の説明】
【００４５】
１…引戸装置、２…開口枠、３…上レール、４…上框、５…凹溝、６…下レール、７…下框、８…開口部、９…引戸、１０…壁部、１０ａ…外壁部，１０ｂ…内壁部、１１…当接部
【図１】
2005127003.tif 000003
【図２】
2005127003.tif 000004
【図３】
2005127003.tif 000005
【図４】
2005127003.tif 000006
【図５】
2005127003.tif 000007